(57)【要約】      （修正有）【課題】締結部材を大きくせずに緩み防止効果を発揮できる密封容器を提供する。【解決手段】容器本体２と容器本体２に設けられる開口部４を塞ぐキャップをねじ結合することにより締結する密封容器１において、容器本体とキャップのいずれか一方の側に設けられるねじ部のねじ山１２，２３と、他方の側に設けられるねじ部のねじ溝１３，２５とが係合可能に構成され、キャップ３を容器本体２への締め込みが完了する位置までねじ山１２，２３およびねじ溝１３，２５の線条方向に沿う方向で締め込んだときに、ねじ山１２に設けられた第１の凸部１４と、ねじ溝２５に設けられた第２の凸部２６とが互いに係止し合い、２つの凸部の係止状態では、その係止力によって容器本体２の開口部４がキャップ３によって密封されている。【選択図】図１
2010241464.tif 000002
【特許請求の範囲】
【請求項１】
容器本体と上記容器本体に設けられる開口部を塞ぐキャップをねじ結合することにより締結する密封容器において、
上記容器本体と上記キャップのいずれか一方の側に設けられるねじ部のねじ山と、他方の側に設けられるねじ部のねじ溝とが係合可能に構成され、上記キャップを上記容器本体への締め込みが完了する位置まで上記ねじ山および上記ねじ溝の線条方向に沿う方向で締め込んだときに、上記ねじ山に設けられた第１の凸部と、上記ねじ溝に設けられた第２の凸部とが互いに係止し合い、上記２つの凸部の係止状態では、その係止力によって上記容器本体の上記開口部が上記キャップによって密封されていることを特徴とする密封容器。
【請求項２】
前記第１の凸部と前記第２の凸部は、前記容器本体と前記キャップのいずれか一方の側のねじ部および前記他方の側のねじ部に周方向に均等な間隔でそれぞれ２箇所以上に設けられていることを特徴とする請求項１記載の密封容器。
【請求項３】
前記第１の凸部と前記第２の凸部は、前記線条方向であって前記容器本体と前記キャップのいずれか一方の部材を他方の部材へ締め込む際に互いの頂上に向かう傾斜部をそれぞれ有することを特徴とする請求項１または２記載の密封容器。
【請求項４】
前記第１の凸部と前記第２の凸部は、前記傾斜部同士が押圧して前記係止状態を形成し前記係止力を発生していることを特徴とする請求項１から３のいずれか１項に記載の密封容器。
【請求項５】
前記容器本体と前記キャップのいずれか一方の側に設けられるねじ部および前記他方の側に設けられるねじ部のリード角は、共に１０°以上８０°以下であることを特徴とする請求項１から４のいずれか１項に記載の密封容器。
【発明の詳細な説明】
【技術分野】
【０００１】
本発明は、密封容器に関する。
【背景技術】
【０００２】
容器本体とキャップを締結する密封容器としては種々のものが知られている。また、密封容器の中でねじを利用するものとしては、液体、粉体等の固体、クリームまたはゲル等の半固体状のものを収納し、キャップを容器本体にねじ止めすることにより内部を密封する密封容器が知られている。そこで、このような容器を対象としてキャップの不用意な緩みを防止するための緩み止め構造が提案されている（特許文献１参照）。
【０００３】
特許文献１に記載されている容器は、容器本体の口頸部の外面側に形成された雄ネジと螺合するように、キャップのスカート部の内面側に雌ネジが形成されている合成樹脂製キャップを有している。そして、口頸部の雄ネジよりも下方に環状のネックリングが形成されている。そのネックリングに対応して、キャップのスカート部の下端部分の内面側に、スカート部の円周方向で略等間隔に少なくとも３本以上の縦リブが形成されている。そして、キャップを口頸部に充分螺着させた状態で、キャップの縦リブが口頸部のネックリングに外方から当接するように構成されている。
【先行技術文献】
【特許文献】
【０００４】
【特許文献１】特開２００３−４０２９６号公報
【発明の概要】
【発明が解決しようとする課題】
【０００５】
特許文献１に記載されている容器は、緩み止めの実現のため、口頸部の雄ネジよりも下方に環状のネックリングを形成し、キャップのスカート部の下端部分の内面側に縦リブを形成している。このような構造は、緩み止めのためにキャップおよび口頸部の領域を特別に設ける必要があり、容器が大きくなってしまう。
【０００６】
そこで、本発明の目的は、密封容器を大きくせずに緩み防止効果を発揮できる密封容器を提供することである。
【課題を解決するための手段】
【０００７】
上記目的を達成するため、本発明の密封容器は、容器本体と容器本体に設けられる開口部を塞ぐキャップをねじ結合することにより締結する密封容器において、容器本体とキャップのいずれか一方の側に設けられるねじ部のねじ山と、他方の側に設けられるねじ部のねじ溝とが係合可能に構成され、キャップを容器本体への締め込みが完了する位置までねじ山およびねじ溝の線条方向に沿う方向で締め込んだときに、ねじ山に設けられた第１の凸部と、ねじ溝に設けられた第２の凸部とが互いに係止し合い、２つの凸部の係止状態では、その係止力によって容器本体の開口部がキャップによって密封されている。
【０００８】
この発明によれば、互いに係止し合うねじ山の第１の凸部とねじ溝の第２の凸部によって緩み止めを実現している。すなわち、両凸部が係止した際に、その係止力によって開口部が密封される。そのため、緩み止めのためにキャップおよび容器本体に新たな領域を設ける必要がなく、密封容器が大きくならない。そして、互いに係止し合う第１の凸部と第２の凸部によって緩み防止効果を発揮できる。
【０００９】
また、第１の凸部と第２の凸部は、容器本体とキャップのいずれか一方の側のねじ部および他方の側のねじ部に周方向に均等な間隔でそれぞれ２箇所以上に設けられていることが好ましい。この構成を採用することによって、容器本体とキャップの広範囲または全域にわたって均等な力で係止がなされる。
【００１０】
また、第１の凸部と第２の凸部は、線条方向であって容器本体とキャップのいずれか一方の部材を他方の部材へ締め込む際に互いの頂上に向かう傾斜部をそれぞれ有することが好ましい。この構成を採用することによって、傾斜部を経由して第１の凸部と第２の凸部が係止することとなるため、係止に至るまでの動作および係止の状態から係止の解除に至るまでの動作がスムーズになる。
【００１１】
また、第１の凸部と第２の凸部は、傾斜部同士が押圧して係止状態を形成し係止力を発生していることが好ましい。この構成を採用することによって、たとえば第１の凸部と第２の凸部の頂上部分同士での係止に起因する、係止部分の膨らみを抑制できる。
【００１２】
また、容器本体とキャップのいずれか一方の側に設けられるねじ部および他方の側に設けられるねじ部のリード角は、共に１０°以上８０°以下であることが好ましい。この構成を採用することによって、締結部材のねじ結合のための回転動作を減らすことが可能となる。
【発明の効果】
【００１３】
本発明では、締結部材を大きくせずに緩み防止効果を発揮できる締結部材を提供することができる。
【図面の簡単な説明】
【００１４】
【図１】本発明の実施の形態に係る密封容器の要部分解図である。
【図２】図１に示す密封容器を構成する容器本体を示す要部斜視図である
【図３】図２に示す容器本体に設けられるねじ山のＡ−Ａ断面図である。
【図４】図２に示す容器本体に設けられるねじ山のＢ−Ｂ断面図である。
【図５】図２に示す容器本体のＣ−Ｃ断面図で、便宜上ねじ山が周方向と直交する方向に形成されているものとして描いた図である。
【図６】図１に示す密封容器を構成するキャップの展開図であって、平面状にねじ山が形成された状態の図である。
【図７】図６に示すキャップに設けられるねじ山のＤ−Ｄ断面図である。
【図８】図６に示すキャップに設けられる第２の凸部のＥ−Ｅ断面図である。
【図９】図６に示すキャップＦ−Ｆ断面図で、便宜上ねじ山が周方向と直交する方向に形成されているものとして描いた図である。
【図１０】図５に示す容器本体と、図９に示すキャップとの係合状態を示す図である。
【図１１】図１および図６に示すねじ山の変形例を示す図であり、（Ａ）はねじ山の平面図、（Ｂ）はねじ山の側面図である。
【図１２】本発明の実施の形態に係る第２の凸部の変形例の形状を示す図である。
【発明を実施するための形態】
【００１５】
以下、本発明の実施の形態に係る密封容器について、図を参照しながら説明する。なお、この密封容器は、化粧品を収納する密封容器としているが、飲料用の容器（ペットボトル等）、食料品保存用の容器等のその他の密封容器にも適用できる。
【００１６】
（密封容器の構成）
図１は、本発明の実施の形態に係る密封容器１の要部分解図である。図２は、本発明の実施の形態に係る密封容器１の開口部４の付近を示す要部斜視図である。図３は、図２に示すねじ山１２のＡ−Ａ断面図である。図４は、図２に示すねじ山１２のＢ−Ｂ断面図である。図５は、図２に示す容器本体２のＣ−Ｃ断面図であり、便宜上ねじ山１２が周方向と直交する方向に形成されているものとして描いた図である。図６は、キャップ３の展開図であって、平面状にねじ山が形成された状態の図である。図７は、図６に示すねじ山２３のＤ−Ｄ断面図である。図８は、図６に示す第２の凸部２６のＥ−Ｅ断面図である。図９は、図６に示すねじ山２３付近のＦ−Ｆ断面図で、キャップ３の要部の側面断面図を示す概要図であり、便宜上ねじ山が周方向と直交する方向に形成されているものとして描いた図である。図１０は、図５に示す開口部４と、図９に示すキャップ３との係合状態を示す図である。
【００１７】
密封容器１は、化粧品（収納物）が収納される容器本体２とキャップ３とから構成される。容器本体２は、容器本体２の端部（開口面）が開口され化粧品の注出の際に用いられる円筒状の開口部４を有する。開口部４を塞ぎ容器本体２を密封するキャップ３は、開口部４の開口端部が当接する部分に密封を確実ならしめるパッキン５を有している。容器本体２の開口部４は、開口部４以外の容器本体２と一体に成形されている。
【００１８】
（開口部４の構成）
図１および図２に示すように、開口部４の円筒側面であってその外周面１１には、ねじ山１２が一体形成されている。ねじ山１２は、図３に示すように、断面が等脚台形の形状をしている。ねじ山１２には、断面中央に、外周面１１に対して一定の高さとなる上面１２ａが設けられ、その両側に傾斜面１２ｂ，１２ｂが設けられている。なお、外周面１１が周方向に円形状であるため、上面１２ａも実際は周方向（＝Ａ−Ａ線に直交する方向）で見た場合、わずかに凸形になった円弧状となっている。そして、１条のねじ山１２は、開口部４の周方向に対して３０°のリード角αで外周面１１の周方向に約５３°に渡って形成されている。
【００１９】
このねじ山１２は、外周面１１に複数本、この例では１２本が等間隔（外周面１１の周方向の回転角度で３０°間隔）に形成されている。隣合うねじ山１２の間の隙間はねじ溝１３となる。このねじ山１２とねじ溝１３とでねじ部が構成される。図２におけるねじ山１２のＢ−Ｂ断面を図４に示す。ねじ山１２の開口部４の開口面に近い部分に傾斜面１２ｃが、底側に近い部分に傾斜面１２ｄが設けられている。
【００２０】
また、図１、図２、図４および図５に示すように、ねじ山１２のうち開口部４の端部（開口面）に寄った位置には、第１の凸部１４が形成されている。第１の凸部１４の形状は、図３、図４に示すように周方向と軸方向の両方向から見て共に台形状である。つまり第１の凸部１４は、図３に示すように、ねじ山１２の周方向の中心に向かって高さが増す傾斜面１２ｂ，１２ｂを有し、それらの中央に上面１４ｂを有する台形状となっている。また、図４に示すように、第１の凸部１４は、ねじ山１２の線条方向の端部側に向かって高さが増す傾斜面１４ａ，１２ｃを有し、それらの中央に上面１４ｂを有する台形状となっている。上面１４ｂは、容器本体２の軸方向には直線状ではあるが、周方向には、外周面１１に一定距離をもって沿うような凸形の円形状（円弧状）となっている。なお、傾斜面１４ａ，１２ｃも同様に周方向にはわずかに凸形に湾曲した形状となっている。この、第１の凸部１４の最大高さ距離、すなわち上面１２ａから上面１４ｂまでの距離はねじ山１２の高さ距離である外周面１１から上面１２ａまでの高さ距離の約１／２である。
【００２１】
（キャップ３の構成）
図１に示すキャップ３は、円筒形状の円筒部２１を有し、円筒部２１の開口面とは逆側の面が天面となる底部２２によって塞がれている形状をしている。また、図６に示すねじ山２３のＤ−Ｄ断面図（図７参照）のように、キャップ３の円筒部２１の内側の側面である内周面２４には、断面形状がねじ山１２と同様に等脚台形の複数のねじ山２３が一体に設けられていると共に、隣り合うねじ山２３の隙間となるねじ溝２５の全てには第２の凸部２６が一体形成されている。ねじ山２３には、断面中央に図７に示すように、内周面２４に対して一定の高さとなる上面２３ａが設けられ、その内側に傾斜面２３ｂ，２３ｂが設けられている。なお、内周面２４が周方向に円形状に湾曲した面となっているため、上面２３ａも実際は周方向で見た場合、わずかに凹形に湾曲した円弧状となっている。しかし、上面２３ａは平坦面としてもよい。
【００２２】
図６のキャップ３の展開図に示すように、このねじ山２３は、内周面２４に複数本、この例では２４本が等間隔（内周面２４の周方向の回転角度で１５°間隔）に形成されている。このねじ山２３とねじ溝２５とでねじ部が構成される。ねじ山２３は、開口部４側のねじ山１２よりも幅寸法が狭い。また、ねじ山２３の上面２３ａと底面を結ぶ面は、上述したように傾斜面２３ｂ，２３ｂとなっている。ねじ山２３の幅寸法はねじ山１２に比較し、断面の等脚台形のうち上面２３ａの幅寸法Ｗ３が上面１４ｂの幅寸法Ｗ１に比べ約１／４と小さく、下底の幅寸法Ｗ４がねじ山１２の下底の幅寸法Ｗ２に比べ２／３となっている。この実施の形態では、幅寸法Ｗ１は２．０ｍｍ、幅寸法Ｗ２は４．５ｍｍ、幅寸法Ｗ３は０．５ｍｍ、幅寸法Ｗ４は３．０ｍｍとされている。また、ねじ山１２の上面１２ａの幅寸法Ｗ５は２．８ｍｍとされている。そして、１条のねじ山２３は、開口面の周方向に対して３０°のリード角βで内周面２４の周方向に約５３°にわたって形成されている。
【００２３】
キャップ３に形成される第２の凸部２６の図６におけるＥ−Ｅ断面を図８に示す。第２凸部２６のＥ−Ｅ断面は等脚台形をなしている。すなわち凸部２６は、ねじ溝２５の線条方向の両端側から中央側に向かって高さが増す傾斜面２６ａ，２６ａ（傾斜部）を有している。その傾斜面２６ａ，２６ａの角度は、第１の凸部１４の傾斜面１４ａの高さが増す傾斜の角度と同一の角度である。両傾斜面２６ａ，２６ａの間には、平坦面となる上面２６ｂが配置されている。この上面２６ｂは、軸方向には直線状であるが、周方向には内周面２４に対し一定距離をもって沿うように形成されており、わずかに凹形となる湾曲面となっている。傾斜面２６ａ，２６ａの周方向面も同様となっている。
【００２４】
図９に示すように、第２の凸部２６の内周面２４からの高さ、すなわち高さＨ１は、ねじ山２３の高さＨ３の約１／２である。なお、ねじ山１２の高さＨ４は、ねじ山２３の高さＨ３と同一としている。また、ねじ山２３は底部２２と一体形成され、ねじ山２３の底部２２側とは逆側は、ねじ山２３の頂上と内周面２４とを斜めに結ぶ傾斜面２３ｃとなっている。なお、図６に示すように、第２の凸部２６は内周面２４に均等な間隔で２箇所以上に、この例では内周面２４の周方向の回転角度で１５°間隔で計２４個設けられている。
【００２５】
また、パッキン５は、ゴムまたは樹脂からなり、底部２２の内側であってその周縁の円環状凹部２１ａ内に接着配置されている。パッキン５は、円環状凹部２１ａに入れられた状態では、その一部がわずかにその円環状凹部２１ａよりとび出している。第１の凸部１４と第２の凸部２６とが係合し、係止状態となり、第１の凸部１４によって第２の凸部２６を容器本体２の底部側に押し下げる係止力が作用したときにキャップ３が容器本体２を完全に蓋した状態となる。このとき、パッキン５は押しつぶされ図１０に示す状態となる。なお、キャップ３は、パッキン５以外は底部２２を含めて一体成形されている。
【００２６】
（容器本体２とキャップ３がねじ結合した状態）
ねじ山２３はねじ山１２の条数の２倍の条数を有している。よって、第２の凸部２６の数は第１の凸部１４の数の２倍である。そして、ねじ山２３とねじ山１２は、それぞれ等間隔に形成されている。開口部４にキャップ３がねじ結合された状態では、開口部４側の個々のねじ山１２は、キャップ３側の２本のねじ山２３の隙間となるねじ溝２５に嵌合されている。その嵌合状態では、ねじ山１２（第１の凸部１４、第２の凸部２６），ねじ山２３，ねじ溝２５（第２の凸部２６），ねじ山２３，ねじ山１２（第１の凸部１４、第２の凸部２６），ねじ山２３・・・・の順にねじ山が配置されている。その嵌合の際には、ねじ山２３の一方の傾斜面２３ｂと、ねじ山１２の一方の傾斜面１２ｂとが接触している。この接触をなめらかに行わせるため、傾斜面１２ｂと傾斜面２３ｂの傾斜角度は同一とされている。
【００２７】
開口部４にキャップ３がねじ結合された状態では、第２の凸部２６の傾斜面２６ａは第１の凸部１４の傾斜面１４ａと同じ傾斜角を持つ形状であるため、図１０に示すように両者の傾斜面１４ａ，２６ａはほぼ隙間無く押圧し合っている。そして第２の凸部２６は、第１の凸部１４に線条方向に沿う方向で係されている。このとき、上述したように、第１の凸部１４は、キャップ３を図１０の矢示Ａ方向に押す係止力を働かせる。この結果、パッキン５が押しつぶされ、容器本体２の内部が密閉される。なお、第２の凸部２６の数は第１の凸部１４の数の２倍であるため、第２の凸部２６は、キャップ３の周方向に一つおきに第１の凸部１４と係止している。
【００２８】
（密封容器１の動作）
キャップ３の開口側を開口部４に被せた状態でこの実施の形態では約４０°の回転（１条のねじ山１２に沿ってねじ山２３が回転する範囲）をさせると、キャップ３が容器本体２を完全に封止する。すなわち、図１０に示すように、ねじ結合が完了すると、開口部４の開口端面がキャップ３のパッキン５を押圧した状態になる。それと共に、第２の凸部２６の傾斜面２６ａと第１の凸部１４の傾斜面１２ｃとの摩擦、およびその後の上面２６ｂと第１の凸部１４の上面１４ｂとの摩擦を経て、傾斜面２６ａと傾斜面１４ａとが押圧し合って第２の凸部２６と第１の凸部１４が互いに係止し合う。そして、容器本体２とキャップ３との相対移動が抑制されキャップ３が容器本体２を蓋した状態となり、容器本体２の内部が密閉状態となる。
【００２９】
ユーザーは、この係止がされたこと、すなわち、第２の凸部２６が第１の凸部１４を乗り越えたことをクリック感のような衝撃として認識できる。この状態で、容器本体２がキャップ３によって密封される。そして、開口部４を密封した状態でキャップ３を先程と反対方向に約１０°回転させると、第２の凸部２６と第１の凸部１４の係止が解かれ、さらに約３０°回転させるとねじ山１２，２３のねじ結合も解かれ、キャップ３を開口部４から外すことが可能となる。ユーザーは、第２の凸部２６と第１の凸部１４の係止が解かれたことを衝撃として認識できる。なお、第２の凸部２６と第１の凸部１４の係止状態から第２の凸部２６の上面２６ｂがねじ山１２の上面１２ａとの当接が外れるまでの周方向相対角度は約１０°であるため、衝撃として認識できるのは、キャップ３の回転開始から約１０°回転させたときとなる。
【００３０】
（本発明の実施の形態によって得られる主な効果）
本発明の実施の形態に係る密封容器１は、ねじ山１２，２３と、ねじ溝１３，２５が係合可能に構成され、キャップ３を容器本体２への締め込みが完了する位置までねじ山１２，２３およびねじ溝１３，２５の線条方向に沿う方向で締め込んだときに、第１の凸部１４がねじ山１２に、第２の凸部２６がねじ溝２５に設けられているため、第１の凸部１４と第２の凸部２６の係合がスムーズに行われると共に、密封容器１を大きくせずに緩み防止効果を発揮できる密封容器１を提供することができる。
【００３１】
また、キャップ３は円筒部２１と底部２２を有し、一端が開口した底付き円筒形状とされ、容器本体２の開口部４の外側に円筒部２１が装着され、第１の凸部１４は、ねじ山１２に設けられ、第２の凸部２６は、ねじ溝２５に設けられ、第１の凸部１４は、ねじ山１２の長さ方向の中心位置を基準として開口部４の端部（開口面）側に設けられている。そのため、開口部４の端部に配置される第１の凸部１４は、ねじ結合の最終段階に初めて第２の凸部２６と係合し、第１の凸部１４と第２の凸部２６をねじ結合に極力関与させずに概ね両者の係止時にのみ関与させ、第１の凸部１４と第２の凸部２６の摩耗を抑制でき、より緩み防止効果を維持できる。
【００３２】
また、第２の凸部２６は内周面２４に、第１の凸部１４は外周面１１に均等な間隔で２箇所以上に設けられているため、開口部４とキャップ３の広範囲または全域に渡って均等な力で係止がなされ、過度な力が特定の第２の凸部２６および第１の凸部１４に付与されるのを抑制できる。
【００３３】
また、第２の凸部２６は、ねじ溝２５の線条方向の両端側から中央側に向かって高さが増す傾斜面２６ａ，２６ａを有する、等脚台形の形状をしているため、２つの傾斜面２６ａ，２６ａを利用して第２の凸部２６と第１の凸部１４が係止することとなり、その係止に至るまでの動作および係止の状態から係止の解除に至るまでの動作がスムーズになる。この効果は、第１の凸部１４が傾斜面１２ｃ，１４ａを有していることによって、より得られやすくなっている。
【００３４】
また、ねじ山１２，２３のリード角α，βは、共に３０°であるため、密封容器１の開閉の動作の際に、ねじ結合のための回転動作を外周面１１および内周面２４の周方向に４０°程度と少なくすることができる。また、第２の凸部２６の高さＨ１がねじ山２３の高さＨ３や第１の凸部１４の外周面１１からの高さＨ４よりも低いため、第２の凸部２６の線条方向への応力付与によっても第２の凸部２６の変形を極力抑制でき、より緩み防止効果を維持できる。また、第２の凸部２６の高さＨ１が小さいことで第２の凸部２６が形成しやすくなる。
【００３５】
また、開口部４の開口端面がキャップ３のパッキン５を押圧した状態で第２の凸部２６と第１の凸部１４が係止するため、密封容器１の密封性を良好に維持できる。その結果、収納物である化粧品が温度または湿度の影響を受け難い密封容器１を提供することができる。通常、回転動作を少なくしたねじ結合による容器は、ねじ山とねじ溝との嵌合距離が短いため、ねじ結合による密封性が得られにくい。しかし、開口部４の開口端面がキャップ３のパッキン５を押圧した状態で第２の凸部２６と第１の凸部１４が係止することによって、ねじ結合のための回転動作がたとえば３０°から４０°と少なくても容器の密封性を得ることができる。
【００３６】
また、回転動作が少なくても容器の密封性が得られるため、キャップ３を開口部４に被せて押下することで、容器の密封を実現できる。また、第２の凸部２６と第１の凸部１４が係止する際、およびその係止が解かれる際には、衝撃によってユーザがそれを認識できるため、密封容器１が密封されたことおよびその密封が解かれたことをユーザが確認できる。
【００３７】
また、図３および図７に示すように、ねじ山２３は、ねじ山１２よりも幅寸法が狭くねじ山１２の条数の２倍の条数を有しているため、両ねじ山が嵌合する確率が高くなり、密封容器１の使い易さを良好にしている。また、仮に隣合うねじ山２３の間を埋めるようにしてねじ山２３の幅寸法を大きくしても、開口部４とキャップ３とのねじ結合は、本発明の実施の形態と同様になされる。しかし、ねじ山２３の幅寸法Ｗ３，Ｗ４を大きくすると、キャップ３の成型の際に、冷却に伴う体積収縮（ヒケ）によってねじ山２３の部分の変形が生じやすくなる場合がある。よって、ねじ山２３の幅寸法Ｗ３，Ｗ４、特に幅寸法Ｗ４は、本発明の実施の形態のように狭くするのが好ましい。
【００３８】
（他の形態）
以上、本発明の実施の形態における密封容器１について説明したが、本発明の要旨を逸脱しない限り種々変更実施可能である。たとえば、ねじ山１２は開口部４の外周面１１に形成され、ねじ山２３はキャップ３の内周面２４に形成されているが、容器本体（開口部４）側のねじ山を開口部４の内周面（＝内側）に形成し、キャップ３側のねじ山をキャップ３の外周面に形成して、両ねじ山によってねじ結合を実現することとしても良い。
【００３９】
また、密封容器１の収容物は化粧品に限らず、飲料、食料、薬品、アクセサリ等とすることができる。また、第１の凸部１４を開口部４側ではなく、条線上の底部側に近い条線上に設け、第２の凸部２６をキャップ３の底部２２側ではなく、開口に近い側に設けるようにしても良い。
【００４０】
また、図１および図６に示すように、ねじ山１２，２３は、その端部が角張った形状をしている。しかし、図１１（Ａ）のねじ山２８の平面図および図１１（Ｂ）のねじ山２８の側面図に示すように、長手方向の端部上部に丸み２８ａ、短手方向の端部上部に丸み２８ｂ、両者の交点に丸み２８ｃを設け端部上部が全周にわたって丸みが設けられた状態とすることが好ましい。ねじ山２８をこのような形状とすることで、以下の効果を奏する。まず１つめの効果は、容器本体２とキャップ３のねじ山とねじ溝とがスムーズに係合可能となる。２つめの効果は、容器本体２とキャップを成型する金型の作成が容易になり、かつ金型の寿命が延びる。１つめの効果は、ねじ山２８が少なくとも丸み２８ａを有していれば得ることができる。ただし、ねじ山２８が丸み２８ａ，２８ｂ，２８ｃの全てを有していることが、１つめの効果を有する意味でより好ましいことは言うまでもない。また２つめの効果は、丸み２８ａ，２８ｂ，２８ｃの全てを有していることによって得ることができる。また、１つめの効果は、少なくともねじ結合を行う際にねじ山とねじ溝が係合し始める側のねじ山の長手方向の端部に丸みを有することで得ることができる。さらに、１つめの効果は、少なくとも容器本体２とキャップ３のいずれか一方のねじ山の長手方向の端部に丸みを有することで得ることができるが、容器本体２とキャップ３の双方のねじ山の長手方向の端部に丸みを有することが好ましい。
【００４１】
また、ねじ結合がされている係止状態では、ねじ山１２（第１の凸部１４、第２の凸部２６），ねじ山２３，ねじ溝２５（第２の凸部２６），ねじ山２３，ねじ山１２（第１の凸部１４、第２の凸部２６），ねじ山２３・・・・の順にねじ山が配置されているが、ねじ山１２とねじ山２３とが交互に配置されることとしても良い。
【００４２】
また、ねじ山１２，２３のリード角α，βは３０°であるが、この角度に限定されない。ただし、リード角α，βを１０°以上とすることで、キャップ３を開口部４に脱着するための回転数（回転角度）を少なくして使いやすくでき得る。また、リード角α，βを８０°以下とすることで、密封容器１はねじ山とねじ溝との係合によるねじ結合を良好に実現することができ、結合力を強めることができる。
【００４３】
また、第２の凸部２６はねじ溝２５に形成され、第１の凸部１４はねじ山１２に形成されているが、第２の凸部２６および第１の凸部１４の形成位置はこれに限定されない。たとえば、第２の凸部２６の形状を有する凸部がねじ山１２に形成され第１の凸部となり、第１の凸部１４の形状を有する凸部がねじ溝２５に形成され第２の凸部となっても良い。また、第２の凸部２６がねじ溝１３に形成され、第１の凸部１４がねじ山２３に形成されていても良い。さらに、第２の凸部２６の形状を有する凸部がねじ山２３に形成され第１の凸部となり、第１の凸部１４の形状を有する凸部がねじ溝１３に形成され第２の凸部となっても良い。
【００４４】
また、第２の凸部２６は、その断面形状が等脚台形だが、それ以外の形状としても良い。たとえば、断面形状が三角形等である。第２の凸部２６は、これらの断面形状のように、その線条方向の両端側から中央側に向かって高さが増す傾斜面２６ａ，２６ａを有しているが、その傾斜面２６ａ，２６ａのような傾斜は必須の要素ではない。なお、第２の凸部２６と第１の凸部１４との係止および係止の解除の動作をスムーズにするためには、第２の凸部２６は、線条方向であってキャップ３を容器本体２へ締め込む際に第１の凸部１４に近い側から第２の凸部２６の頂上に向かう傾斜部となる傾斜面２６ａ（＝図１０では、下方の傾斜面２６ａ）を有していれば良い。
【００４５】
たとえば、第２の凸部２６は、キャップ３の締め込み方向から第２の凸部２６の頂上を越えた線条方向の延長線上には傾斜面２６ａ（＝図１０では、上方の傾斜面２６ａ）を設けない形状としても良い。すなわち、図１２に示すような形状の第２の凸部２６としても良い。この場合、底部２２側の角部２６ｃは、第１の凸部１４と係止したとき、傾斜面１４ａにわずかに乗り上げる状態となる。また、上述の傾斜部は、傾斜面２６ａとして傾斜している必要はなく、線等として傾斜していることとしても良い。
【００４６】
また、第２の凸部２６の高さＨ１はねじ山２３の高さＨ３や第１の凸部１４の外周面１１からの高さＨ４よりも低いが、各高さＨ３，Ｈ４以上にすることができる。第２の凸部２６および／または第１の凸部１４の上面１２ａから上面１４ａまでの高さ寸法を大きくすると、両者の係止時の衝撃を強めることができる場合がある。
【００４７】
また、第２の凸部２６は内周面２４に、第１の凸部１４は外周面１１に、それぞれ均等な間隔で２箇所以上に設けられている。しかし、第２の凸部２６および第１の凸部１４はそれぞれ１箇所ずつに設けることとしても良い。また、第２の凸部２６および第１の凸部１４をそれぞれ２箇所以上に設ける場合でも、均等に設ける必要はなく、異なる間隔で設けることとしても良い。また、第２の凸部２６の数は第１の凸部１４の数の２倍であるが、第２の凸部２６と第１の凸部１４の数を同一にしても良いし、第２の凸部２６の数を第１の凸部１４の数の２倍以外の異なる数としても良い。
【００４８】
また、パッキン５はリング状としているが、底部２２の全面を覆う円形状としても良い。また、密封容器１の必須の構成要素ではないため、省略することができる。たとえば容器の密封は、第１の凸部１４と第２の凸部２６の係止力によって容器本体２の開口部４とキャップ３の底部２２とを強く接触させることによって実現させることができる。また、容器の用途によっては、密封性が厳格に要求されないものもある。そのような容器にも本発明の実施の形態に係る第２の凸部２６および第１の凸部１４による係止を適用することができる。
【００４９】
また、第２の凸部２６が第１の凸部１４に係止する際にユーザが得ることのできるクリック感のような衝撃は、必ずしも得られる必要はない。また、衝撃が得られるとしても、その衝撃はクリック感のような衝撃で無くても良い。さらに、密封容器１等の締結部材の材質は、樹脂材が好ましいが、金属材、ガラス材、木材等の他の材質のものとしてもよい。ここで、容器本体２とキャップ３のいずれか一方を樹脂のように比較的容易に形状変化可能な弾性を有する材料とすることができる。このように容器本体２とキャップ３の一方を樹脂製とする場合は、キャップ３を樹脂製とし、容器本体２を金属材、ガラス材等とすることが好ましい。
【符号の説明】
【００５０】
１  密封容器
２  容器本体
３  キャップ
４  開口部
１２  ねじ山（ねじ部の一部）
１３  ねじ溝（ねじ部の一部）
１４  第１の凸部
２３  ねじ山（ねじ部の一部）
２５  ねじ溝（ねじ部の一部）
２６  第２の凸部
２８  ねじ山（ねじ部の一部）
【図１】
2010241464.tif 000003
【図２】
2010241464.tif 000004
【図３】
2010241464.tif 000005
【図４】
2010241464.tif 000006
【図５】
2010241464.tif 000007
【図６】
2010241464.tif 000008
【図７】
2010241464.tif 000009
【図８】
2010241464.tif 000010
【図９】
2010241464.tif 000011
【図１０】
2010241464.tif 000012
【図１１】
2010241464.tif 000013
【図１２】
2010241464.tif 000014